【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
複数種の固体発光装置を備える照明装置であって、
前記複数種の固体発光装置は、発光色が異なり、かつ、それぞれが半導体発光素子、及び蛍光体を備え、該半導体発光素子からの発光及び該発光で励起し蛍光する該蛍光体からの発光により、もしくは該半導体発光素子からの発光で励起し蛍光する該蛍光体からの発光により一次光を出射するものであり、
前記複数種の固体発光装置のそれぞれの発光色は、ＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２の範囲内に収まり、該複数種の固体発光装置が発する一次光が合成されてなる合成光が外部に出射される、
照明装置。
【請求項２】
前記半導体発光素子は、発光ピーク波長が３５０ｎｍ以上４３０ｎｍ以下の範囲にある請求項１に記載の照明装置。
【請求項３】
前記複数種の固体発光装置のうち少なくとも１つの固体発光装置は、発光色の偏差ｄｕｖの値が正である請求項１又は請求項２に記載の照明装置。
【請求項４】
前記複数種の固体発光装置への供給電力をそれぞれ制御することで、前記合成光の色を制御する発光強度制御部を備える、
請求項１から請求項３の何れか一項に記載の照明装置。
【請求項５】
前記発光強度制御部は、前記合成光の逆数相関色温度の変化が所定量となるように、複数種の固体発光装置への供給電力をそれぞれ制御することで、該合成光の相関色温度を制御する、
請求項４に記載の照明装置。
【請求項６】
前記発光強度制御部は、前記合成光の逆数相関色温度に基づいて、前記複数種の固体発光装置への供給電力を制御する、
請求項４又は５に記載の照明装置。
【請求項７】
ユーザからの、前記合成光の相関色温度の調整要求を、該相関色温度に関連した所定のパラメータ量の変化を介して受け付ける要求受付部を備え、
前記要求受付部によって受け付けられた調整要求に関する前記所定のパラメータが、前記合成光の相関色温度の変化に対して比例的に変化するように、前記発光強度制御部は、逆数相関色温度に基づいて、前記複数種の固体発光装置への供給電力を制御する、
請求項６に記載の照明装置。
【請求項８】
前記発光強度制御部は、前記複数種の固体発光装置の各々を制御することで、該複数種の固体発光装置からの各々の発光色に対応する複数の色度点間を結ぶ直線上にある、又は該直線によって形成される多角形内にある色度点となるように、前記合成光の色を調整する、
請求項４から請求項７の何れか一項に記載の照明装置。
【請求項９】
前記発光強度制御部は、前記複数種の固体発光装置への電力をＰＷＭ制御によって供給することにより、前記合成光の相関色温度を制御することを特徴とする請求項４から請求項８の何れか一項に記載の照明装置。
【請求項１０】
発光色の相関色温度が異なる２種類の前記固体発光装置が、順バイアス方向が互いに逆向きになるように並列接続された回路を備え、
前記発光強度制御部は、前記回路に矩形波状の交流電圧を印加し、且つ該矩形波状の交流電圧のデューティ比を制御する、ことを特徴とする請求項４から請求項８の何れか一項に記載の照明装置。
【請求項１１】
前記複数種の固体発光装置は、前記蛍光体として、前記半導体発光素子からの発光により励起されて青色の蛍光を発する青色蛍光体、前記半導体発光素子からの発光により励起されて緑色の蛍光を発する緑色蛍光体、および前記半導体発光素子からの発光により励起されて赤色の蛍光を発する赤色蛍光体を含む請求項１から請求項１０の何れか一項に記載の照明装置。
【請求項１２】
前記複数種の固体発光装置は、前記半導体発光素子および前記蛍光体を封止する透光性材料をさらに有する請求項１から請求項１１の何れか一項に記載の照明装置。
【請求項１３】
前記透光性材料は珪素含有化合物である請求項１２に記載の照明装置。
【請求項１４】
前記複数種の固体発光装置の発光色は、相関色温度が２０００Ｋ以上５００００Ｋ以下の範囲にある請求項１から請求項１３の何れか一項に記載の照明装置。
【請求項１５】
少なくともパッケージ、発光ピーク波長が３５０ｎｍ以上４３０ｎｍ以下の範囲にある半導体発光素子、及び蛍光体を備え、該半導体発光素子からの発光及び該発光で励起し蛍光する該蛍光体からの発光により、もしくは該半導体発光素子からの発光で励起し蛍光する該蛍光体からの発光により、外部に対して光を出射する発光モジュールを有する照明装置であって、
前記パッケージは、前記発光モジュールの出射方向に開口する開口部と、該パッケージ内部を分割して画定される複数の分割領域部とを有し、該分割領域部の各々は前記開口部の一部である分割開口部において開口しており、
前記複数の分割領域部の各々は、
一又は複数の前記半導体発光素子と、
前記半導体発光素子に電力を供給する電力供給部と、
前記蛍光体と、前記分割領域部を封止する透光性材料とを含む蛍光部と、を有し、
前記複数の分割領域部のうち少なくとも一の分割領域部と他の分割領域部において、前
記蛍光部から出射される一次光のスペクトルが互いに異なり、且つそれぞれの一次光の発光色は、ＵＣＳ（ｕ、ｖ）表色系（ＣＩＥ１９６０）のｕｖ色度図において、黒体輻射軌跡からの偏差ｄｕｖが、−０．０２≦ｄｕｖ≦０．０２の範囲内に収まり、該一の分割領域部と該他の分割領域部からのそれぞれの一次光が合成されてなる合成光が外部に出射される、
照明装置。
【請求項１６】
前記電力供給部を介して、前記複数の分割領域部の各々における前記半導体発光素子への供給電力を制御することで、各分割領域部からの一次光の発光強度を独立して制御する発光強度制御部を、更に備える請求項１５に記載の照明装置。
【請求項１７】
前記発光強度制御部は、前記合成光の逆数相関色温度の変化が所定量となるように、前記複数の分割領域部の各々における前記半導体発光素子への供給電力を制御することで、該合成光の相関色温度を制御する、
請求項１６に記載の照明装置。
【請求項１８】
ユーザからの、前記合成光の相関色温度の調整要求を、該相関色温度に関連した所定のパラメータ量の変化を介して受け付ける要求受付部を備え、
前記要求受付部によって受け付けられた調整要求に関する前記所定のパラメータが、前記合成光の相関色温度の変化に対して比例的に変化するように、前記発光強度制御部は、逆数相関色温度に基づいて、該複数の分割領域部の各々における前記半導体発光素子への供給電力を制御する、
請求項１６又は１７に記載の照明装置。
【請求項１９】
前記電力供給部は、前記複数の分割領域部が有する前記半導体発光素子に対して電力を供給する複数の配線を有し、
前記発光強度制御部は、前記複数の配線を介して前記半導体発光素子への供給電力を前記分割領域部ごとに独立して制御する、
請求項１６から請求項１８の何れか一項に記載の照明装置。
【請求項２０】
前記半導体発光素子は、供給電力に関する極性を有する対の入力電極を含み、
前記電力供給部は、前記対の入力電極がそれぞれ接続されることで電力供給を行う一対の配線を有し、
前記複数の分割領域部のうち前記一の分割領域部を含む一部分の分割領域部内の前記半導体発光素子の、前記配線への接続は、前記他の分割領域部を含む残り部分の分割領域部内の前記半導体発光素子の、前記配線への接続における極性と反転状態とされ、
前記発光強度制御部は、前記一対の配線に交流電力を供給する、
請求項１６から請求項１８の何れか一項に記載の照明装置。
【請求項２１】
前記発光強度制御部は、前記一対の配線に矩形波状の交流電圧を印加し、且つ該矩形波状の交流電圧のデューティ比を制御する、
請求項２０に記載の照明装置。
【請求項２２】
前記発光強度制御部は、前記複数の分割領域部の各々を制御することで、該複数の分割領域部からの各々の発光色に対応する複数の色度点間を結ぶ直線上にある、又は該直線によって形成される多角形内にある色度点となるように、前記合成光の色を調整する、
請求項１６から請求項２１の何れか一項に記載の照明装置。
【請求項２３】
前記透光性材料は、珪素含有化合物である、
請求項１５から請求項２２の何れか一項に記載の照明装置。
【請求項２４】
前記分割領域の発光色は、相関色温度が２０００Ｋ以上５００００Ｋ以下の範囲にある請求項１５から請求項２３の何れか一項に記載の照明装置。
【請求項２５】
前記合成光の相関色温度が３０００Ｋから６５００Ｋの範囲で可変であり、該相関色温度が３０００Ｋから６５００Ｋに変化するとき、その合成光のスペクトルの波長の５４０〜５６０ｎｍの波長範囲において、発光強度の変化率の絶対値が１０％以下である、
請求項１から請求項２４の何れか一項に記載の照明装置。